(57)【要約】【課題】ユーザがキー操作などを行わなくとも、見やすい表示を行うことができるようにする。【解決手段】照度検出部１は、自装置周囲の照度を検出する。距離検出部２は、上記表示画面とユーザとの間の距離を検出する。表示形態決定部３は、照度検出部１の検出結果と、距離検出部２の検出結果とに基づいて、上記表示画面に表示する文字のサイズ、文字の色、及び、背景色を決定する。コンテンツ加工部７は、コンテンツデータ記憶部６からコンテンツデータを読み出し、コンテンツデータに含まれる文字のサイズ、文字の色、及び、背景色を示す修飾情報を、上記文字表示形態決定された文字のサイズ、文字の色、及び、背景色を示すものに変更する。【選択図】図１
2013205762.tif 000002
【特許請求の範囲】
【請求項１】
自装置周囲の照度を検出する照度検出手段と、
該照度検出手段の検出結果に基づいて、前記表示画面に表示する文字の色、及び、背景色を変更する表示制御手段を備えたことを特徴とする表示装置。
【請求項２】
請求項１記載の表示装置において、
前記表示制御手段は、
前記照度検出手段の検出結果に基づいて、前記表示画面に表示する文字の色、及び、背景色を決定する文字表示形態決定手段と、
コンテンツデータに含まれる文字の色、及び、背景色を示す修飾情報を、前記文字表示形態決定された文字の色、及び、背景色を示すものに変更する文字変更部とを備えたことを特徴とする表示装置。
【請求項３】
請求項２記載の表示装置において、
前記表示制御手段は、
前記照度検出手段の検出結果に基づいて、前記表示画面に表示する画像の輝度を決定する映像表示形態決定手段と、
前記コンテンツデータに含まれる映像の輝度を示す修飾情報を、前記映像表示形態決定手段で決定された映像の輝度を示すものに変更する映像変更部とを備えたことを特徴とする表示装置。
【請求項４】
請求項１記載の表示装置において、
前記表示制御手段は、
動作モードを指定するモード指定手段と、
前記照度検出手段の検出結果と前記モード指定手段によって指定された動作モードとに基づいて、前記表示画面に表示する文字の色、及び、背景色を決定する表示形態決定手段と、
コンテンツデータに含まれる文字の色、及び、背景色を示す修飾情報を、前記表示形態決定手段が決定した文字の色、及び、背景色を示すものに変更する文字変更部とを備えたことを特徴とする表示装置。
【請求項５】
請求項１乃至４の何れか１項に記載の表示装置において、
前記距離検出手段の検出結果は、オートフォーカス機能および自動絞り機能を有するカメラにおけるフォーカスレンズに対する制御量であり、
前記照度検出手段の検出結果は、前記カメラの絞りに対する制御量であることを特徴とする表示装置。
【請求項６】
請求項１乃至５の何れか１項に記載の表示装置において、
前記表示画面とユーザとの間の距離を検出する距離検出手段を備え、且つ、
表示制御手段は、前記距離検出手段の検出結果に基づいて、文字のサイズを変更することを特徴とする表示装置。
【請求項７】
自装置周囲の照度を検出する照度検出手段と、表示制御手段とを備えたコンピュータが実行する表示制御方法であって、
前記表示制御手段が、前記照度検出手段の検出結果に基づいて、前記表示画面に表示する文字の色、及び、背景色を変更することを特徴とする表示制御方法。
【請求項８】
自装置周囲の照度を検出する照度検出手段を備えたコンピュータを、表示装置として機能させるためのプログラムであって、
前記コンピュータを、前記照度検出手段の検出結果に基づいて、前記表示画面に表示する文字の色、及び、背景色を変更する表示制御手段として機能させるためのプログラム。
【発明の詳細な説明】
【技術分野】
【０００１】
本発明は、文字などを表示する表示装置に関する。
【背景技術】
【０００２】
表示画面を備えているパーソナルコンピュータや携帯電話機などにおいては、ユーザにとって見やすい表示を行うために、ユーザが行うキー操作などに応じて、表示画面に表示する文字のサイズを変更できるようになっているのが一般的である。しかし、ユーザがキー操作などを行わなければならないため、使い勝手が悪いという問題点がある。
【０００３】
そこで、このような問題点を解決するため、ユーザと表示画面との間の距離を検出し、検出結果に基づいて、表示する文字のサイズを変更するようにした表示装置が提案されている（例えば、特許文献１参照）。
【先行技術文献】
【特許文献】
【０００４】
【特許文献１】特開２０１１−１２３５０１号公報
【発明の概要】
【発明が解決しようとする課題】
【０００５】
特許文献１に記載されている技術によれば、ユーザがキー操作などを行わなくとも、ユーザと表示画面との間の距離に応じたサイズの文字を表示することができ、使い勝手が向上する。しかし、特許文献１に記載されている技術は、ユーザと表示画面との間の距離に基づいて、表示する文字のサイズを変更しているだけであるので、ユーザにとって見やすい表示を行うことができない場合があるという課題がある。
【０００６】
[発明の目的]
そこで、本発明の目的は、ユーザにとって見やすい表示を行うことができない場合があるという課題を解決した表示装置を提供することにある。
【課題を解決するための手段】
【０００７】
本発明にかかる表示装置は、
自装置周囲の照度を検出する照度検出手段と、
該照度検出手段の検出結果に基づいて、前記表示画面に表示する文字の色、及び、背景色を変更する表示制御手段を備える。
【０００８】
本発明にかかる表示制御方法は、
自装置周囲の照度を検出する照度検出手段と、表示制御手段とを備えたコンピュータが実行する表示制御方法であって、
前記表示制御手段が、前記照度検出手段の検出結果に基づいて、前記表示画面に表示する文字の色、及び、背景色を変更する。
【０００９】
本発明にかかるプログラムは、
自装置周囲の照度を検出する照度検出手段を備えたコンピュータを、表示装置として機能させるためのプログラムであって、
前記コンピュータを、前記照度検出手段の検出結果に基づいて、前記表示画面に表示する文字の色、及び、背景色を変更する表示制御手段として機能させる。
【発明の効果】
【００１０】
本発明によれば、ユーザがキー操作などを行わなくとも、見やすい表示を行うことが可能になるという効果を得ることができる。
【図面の簡単な説明】
【００１１】
【図１】本発明の第１の実施の形態に係る表示装置の構成例を示すブロック図である。
【図２】照度検出部１および距離検出部２の実装例を示す斜視図である。
【図３】文字サイズ決定ルールの一例を示す図である。
【図４】表示色決定ルールの一例を示す図である。
【図５】表示形態決定部３の処理例を示すフローチャートである。
【図６】照度検出部１および距離検出部２としてオートフォーカス機能および自動絞り機能を有するカメラを利用する場合のカメラと表示形態決定部３との接続例を示すブロック図である。
【図７】オートフォーカス機能および自動絞り機能を有するカメラの実装方法を示す図である。
【図８】本発明の第２の実施の形態に係る表示装置の構成例を示すブロック図である。
【図９】輝度決定ルールの一例を示す図である。
【図１０】コントラスト決定ルールの一例を示す図である。
【図１１】表示形態決定部３２の処理例を示すフローチャートである。
【図１２】変更前のコンテンツデータの一例を示す図である。
【図１３】変更後のコンテンツデータの一例を示す図である。
【図１４】本発明の第３の実施の形態に係る表示装置の構成例を示すブロック図である。
【発明を実施するための形態】
【００１２】
次に、本発明の実施の形態について詳細に説明する。
【００１３】
[本発明の第１の実施の形態]
図１を参照すると、本発明にかかる表示装置の第１の実施の形態は、照度検出部１と、距離検出部２と、表示形態決定部３と、ルール記憶部４と、状態記憶部５と、コンテンツデータ記憶部６と、コンテンツ加工部７と、表示制御部８と、ＬＣＤなどの表示部９とを備えている。
【００１４】
照度検出部１は、フォトダイオード等の光電変換素子を利用して、視聴環境の照明や外光による表示部９周囲の照度を検出する機能を有する。照度検出部１は、例えば、図２に示すように、表示部９の筐体の上面に実装する。しかし、表示部９周囲の照度がほぼ一定になるような環境では、表示部９の周囲であればどこに実装しても良い。本実施の形態では、照度検出部１の検出結果は、１〜１０の数値（１が最も暗く、１０が最も明るい）で表されるものとする。
【００１５】
距離検出部２は、表示画面とユーザとの間の距離を検出する機能を有する。具体的には、距離検出部２の筐体内の光源（レーザダイオードや発光ダイオード）から照射した光が測定対象物（ユーザ）に反射して戻ってくるまでの時間を計測することにより、ユーザまでの距離を検出する。図２を参照すると、距離検出部２は、表示部９の筐体の上面に実装されている。その際、光の放射方向が表示画面の前方側となるように実装されている。なお、本実施の形態では、距離検出部２の検出結果は、１〜１０の数値（１が最も短く、１０が最も長い）で表されるものとする。
【００１６】
なお、照度検出部１及び距離検出部２の実装位置は、筐体上面に限られるものではなく、筐体側面であっても構わない。
【００１７】
コンテンツデータ記憶部６には、表示部９に表示するコンテンツを表すコンテンツデータが記録されている。
【００１８】
状態記憶部５には、後述するように表示形態決定部３によって、照度検出部１及び距離検出部２で検出された照度および距離が記録される。なお、初期状態においては、そのことを示す情報が記録されている。
【００１９】
ルール記憶部４には、照度検出部１の検出結果と距離検出部２の検出結果とに基づいて、表示部９の表示画面に表示する文字の表示形態を決定するためのルール（表示形態決定ルール）が記録されている。表示形態決定ルールは、文字サイズ決定ルールと、表示色決定ルールとから構成される。
【００２０】
図３は、ルール記憶部４に記録されている文字サイズ決定ルールの一例を示した図であり、ルール番号No.1〜No.9と、距離検出部２で検出された距離の変化方向（長くなったか、短くなったか、変化しなかったか）、及び、距離範囲とから構成される条件部と、条件部の条件が満たされたときの文字サイズとを含んでいる。
【００２１】
ここで、項目「文字サイズ」における「元のサイズ」は、コンテンツデータ記憶部６に記録されているコンテンツデータによって指定されているサイズで文字を表示することを示し、「元のサイズの120％」は、コンテンツデータで指定されているサイズよりも20％大きなサイズで文字を表示することを示している。また、項目「文字サイズ」における「なし」は、文字サイズを現在のサイズから変化させないことを示している。
【００２２】
また、項目「距離の変化方向」における「変化なし」は、距離検出部２で検出した距離から状態記憶部５に記録されている距離を減算した値（距離差分）が、予め定められている距離変化許容範囲内である場合に相当する。また、「短くなる」は、距離差分が距離変化許容範囲外で、且つ距離差分の符号が「−」である場合に相当し、「長くなる」は、距離差分が距離変化許容範囲外で、且つ距離差分の符号が「＋」である場合に相当する。
【００２３】
図４は、ルール記憶部４に記録されている表示色決定ルールの一例を示す図であり、ルール番号No.11〜No.19と、照度検出部１で検出された照度の変化方向（低くなったか、高くなったか、変化しなかったか）、及び、照度範囲から構成される条件部と、条件部の条件が満たされたときの前景（文字）及び背景の表示色とを含んでいる。
【００２４】
ここで、項目「表示色」における「元の配色で表示」は、コンテンツデータ記憶部６に記録されているコンテンツデータによって指定されている色で文字及び背景を表示することを示し、「背景を白、前景を黒」は、文字及び背景をそれぞれ黒、白で表示することを示し、「背景を黒、前景を白」は、文字及び背景をそれぞれ白、黒で表示することを示している。また、項目「表示色」における「なし」は、文字及び背景の色を現在表示されている色のままとすることを示している。
【００２５】
また、項目「照度の変化方向」における「変化なし」は、照度検出部１で検出した照度から状態記憶部５に記録されている照度を減算した値（照度差分）が、照度変化許容範囲内である場合に相当する。また、「低くなる」は、照度差分が照度変化許容範囲外で、且つ照度差分の符号が「−」である場合に相当し、「高くなる」は照度差分が照度変許容範囲内で、且つ照度差分の符号が「＋」である場合に相当する。
【００２６】
表示形態決定部３は、下記の機能(a)〜(e)を有する。
【００２７】
(a)一定時間毎に、照度検出部１で検出された照度と、距離検出部２で検出された距離とを入力する機能。
【００２８】
(b)入力した照度と状態記憶部５に記録されている照度との差分（照度差分）、および、入力した距離と状態記憶部５に記録されている距離との差分（距離差分）を算出する機能。
【００２９】
(c)算出した照度差分が予め定められている照度変化許容範囲内であるか否かを判定すると共に、距離差分が予め定められている距離変化許容範囲内であるか否かを判定する機能。
【００３０】
(d)照度差分と距離差分との内の少なくとも一方が許容範囲外となった場合、状態記憶部５に記録されている照度及び距離を、今回入力した照度および距離で書き換える機能。
【００３１】
(e)照度差分と距離差分との内の少なくとも一方が許容範囲外となった場合、照度検出部１の検出結果と、距離検出部２の検出結果と、ルール記憶部４に記録されている文字サイズ決定ルール及び表示色決定ルールとに基づいて、文字サイズと、文字及び背景の表示色とを決定し、決定した文字サイズに対応する文字サイズ決定ルールのルール番号と、決定した表示色に対応する表示色決定ルールのルール番号とをコンテンツ加工部７に渡す機能を有する。なお、本実施の形態では、文字サイズ及び表示色に対応するルール番号をコンテンツ加工部７に渡すようにしているが、項目「文字サイズ」「表示色」の内容をコンテンツ加工部７に渡すようにしても良い。例えば、ルール番号No.6を渡す代わりに、項目「文字サイズ」の内容「元のサイズの120％」を渡すようにしても良い。
【００３２】
コンテンツ加工部７は、コンテンツデータ記憶部６に記録されているコンテンツデータに対して、表示形態決定部３から渡された文字サイズ決定ルールのルール番号と、表示色決定ルールのルール番号とに応じた加工を行い、加工後のコンテンツデータを表示制御部８に渡す機能を有する。
【００３３】
表示制御部８は、コンテンツ加工部７から渡されたコンテンツデータに従って、表示部９の表示画面にコンテンツを表示する機能を有する。
【００３４】
なお、表示形態決定部３、コンテンツ加工部７、及び、表示制御部８はＣＰＵ（中央処理装置）により実現可能であり、その場合は例えば次のようにする。ＣＰＵを表示形態決定部３、コンテンツ加工部７、及び、表示制御部８として機能させるためのプログラムを記録したディスク、半導体メモリ、その他の記録媒体を用意し、ＣＰＵに上記プログラムを読み取らせる。ＣＰＵは、読み取ったプログラムに従って、自身の動作を制御することにより、自ＣＰＵ上に表示形態決定部３、コンテンツ加工部７、及び、表示制御部８を実現する。
【００３５】
[第１の実施の形態の動作の説明]
次に、本実施の形態の動作について図面を参照して詳細に説明する。
【００３６】
表示形態決定部３は、コンテンツの表示が開始されると、照度検出部１及び距離検出部２で検出された照度及び距離を入力する（ステップＳ４２）。次いで、表示形態決定部３は、状態記憶部５に記録されている照度及び距離を入力する（ステップＳ４３）。
【００３７】
そして、状態記憶部５から入力した情報が初期状態であることを示す情報である場合（ステップＳ４４がＮｏ）は、照度検出部１及び距離検出部２から入力した照度及び距離を状態記憶部５に記録した後（ステップＳ４５）、一定時間が経過するのを待つ（ステップＳ５０）。これに対して、入力した情報が照度及び距離である場合には、次式（１）、（２）に示す演算を行うことにより、照度差分及び距離差分を算出する（ステップＳ４６）。
【００３８】
照度差分＝（照度検出部１の検出結果）−（状態記憶部５に記録されている照度）
…（１）
距離差分＝（距離検出部２の検出結果）−（状態記憶部５に記録されている距離）
…（２）
【００３９】
その後、表示形態決定部３は、照度差分が予め定められている照度変化許容範囲内であるか否かを判定すると共に、距離差分が予め定められている距離変化許容範囲内であるか否かを判定する（ステップＳ４７）。
【００４０】
そして、照度差分と距離差分とが、共に許容範囲内である場合（ステップＳ４７がＹｅｓ）は、ステップＳ５０の処理を行う。これに対して、照度差分と距離差分の内の少なくとも一方が許容範囲外の場合（ステップＳ４７がＮｏ）は、状態記憶部５に記録されている照度及び距離を、照度検出部１及び距離検出部２から入力した照度及び距離で置き換える（ステップＳ４８）。
【００４１】
次いで、表示形態決定部３は、ルール記憶部４に記録されている文字サイズ決定ルールおよび表示色決定ルールと、照度検出部１の検出結果と、距離検出部２の検出結果と、照度差分及び距離差分の符号とに基づいて文字のサイズと、文字及び背景の色とを決定し、決定したサイズに対応したルール番号と、決定した文字及び背景の色に対応したルール番号とをコンテンツ加工部７に渡す（ステップＳ４９）。その後、表示形態決定部３は、一定時間が経過するのを待って、再びステップＳ４１の処理を行う。表示形態決定部３は、ユーザによってコンテンツの表示停止が指示されるまで、上述した処理を繰り返し行う。
【００４２】
今、例えば、ステップＳ４２で照度検出部１及び距離検出部２から入力した照度、距離がそれぞれ「照度８、距離６」、状態記憶部５に記録されている照度、距離がそれぞれ「照度５、距離５」、照度変化許容範囲が「−２≦照度変化許容範囲≦２」、距離変化許容範囲が「−２≦距離変化許容範囲≦２」であり、ルール記憶部４に記録されている文字サイズ決定ルール及び表示色決定ルールがそれぞれ図３及び図４に示すものであるとすると、ステップＳ４６〜Ｓ４９では、次のような処理が行われる。
【００４３】
ステップＳ４６では、照度差分「８−５＝＋３」を算出すると共に、距離差分「６−５＝＋１」を算出する。算出した照度差分及び距離差分の内、照度差分「３」が照度変化許容範囲外なので（ステップＳ４７がＮｏ）、ステップＳ４８の処理が行われる。ステップＳ４８では、状態記憶部５に記録されている「照度５、距離５」を、ステップＳ４２で入力した「照度８、距離６」に置き換える。
【００４４】
ステップＳ４９では、距離差分が距離変化許容範囲内なので、「距離の変化方向」は「変化なし」に相当し、照度差分が照度変化許容範囲外で、且つその符号が「＋」なので、照度の変化方向は「高くなる」に相当すると判定する。また、距離は「６」であり、距離範囲「４〜７」に相当するので、図３に示した文字サイズ決定ルールの内の、ルール番号「No.8」の文字サイズ決定ルールが該当すると判定する。また、照度は「８」であり、照度範囲「８〜１０」に相当するので、図４に示した表示色決定ルールの内の、ルール番号「No.16」の表示色決定ルールが該当すると判定する。その後、該当するルール番号「No.8」「No.16」をコンテンツ加工部７に渡す。以上がステップＳ４６〜Ｓ４９で行われる処理である。
【００４５】
コンテンツ加工部７は、表示形態決定部３から文字サイズ決定ルールのルール番号及び表示色決定ルールのルール番号が渡されると、コンテンツデータ記憶部６からコンテンツデータを入力し、ルール番号に応じてコンテンツデータを加工する。
【００４６】
例えば、表示形態決定部３から渡された文字サイズ決定ルールのルール番号が「No.1」、表示色決定ルールのルール番号が「No.11」の場合（文字サイズも表示色も元のコンテンツデータによって指定されているものにする場合）は、コンテンツ加工部７から読み出したコンテンツデータをそのまま表示制御部８に渡す。また、コンテンツ加工部７は、表示形態決定部３から渡された文字サイズ決定ルールのルール番号及び表示色決定ルールのルール番号を、適用ルール記憶部（図示せず）に上書きする。
【００４７】
また、例えば、表示形態決定部３から渡された文字サイズ決定ルールのルール番号が「No.3」、表示色決定ルールのルール番号が「No.14」の場合（文字サイズをコンテンツデータによって指示されているサイズよりも20%大きくし、表示色は変化させない場合）は、コンテンツデータ中の文字のサイズを指定する部分を変更し、変更後のコンテンツデータを表示制御部８に渡す。具体的には、コンテンツデータから下記（Ａ）に示すような文字サイズを指定する部分を探し出し、その部分を下記（Ｂ）に示すように変更する。この例では、文字サイズが「10」から「12」に変更されている。また、コンテンツ加工部７は、表示形態決定部３から渡された文字サイズ決定ルールのルール番号及び表示色決定ルールのルール番号を、適用ルール記憶部に上書きする。
【００４８】
<p style="font-size:10px">Text文字</p>    …（Ａ）
<p style="font-size:12px">Text文字</p>    …（Ｂ）
【００４９】
また、例えば、表示形態決定部３から渡された文字サイズ決定ルールのルール番号が「No.1」、表示色決定ルールのルール番号が「No.16」の場合（文字サイズをコンテンツデータによって指示されているサイズとし、文字及び背景の表示色を黒、白とする場合）は、コンテンツデータ中の文字及び背景の色を指定する部分を変更し、変更後のコンテンツデータを表示制御部８に渡す。具体的には、コンテンツデータから下記（Ｃ）に示すような文字及び背景の色を指定する部分を探し出し、その部分を下記（Ｄ）に示すように変更する。この例では、文字が明るい灰色から黒に、背景が暗い灰色から白に変更されている。このように、表示部９周囲の照度が高い場合、文字および背景の表示色を、「明るい灰色、暗い灰色」から「黒、白」に変更することにより、文字が見やすくなる。また、コンテンツ加工部７は、表示形態決定部３から渡された文字サイズ決定ルールのルール番号及び表示色決定ルールのルール番号を、適用ルール記憶部に上書きする。
【００５０】
<p style="color:#7777;background-color:#2222">Text文字</p>    …（Ｃ）
<p style=" color: #0000;background-color: #ffff">Text文字</p>    …（Ｄ）
【００５１】
また、例えば、表示形態決定部３から渡された文字サイズ決定ルールのルール番号が「No.3」、表示色決定ルールのルール番号が「No.17」の場合（文字サイズを20％大きくし、文字及び背景の表示色を現在のままとする場合）は、コンテンツデータ中の文字サイズを指定する部分を変更すると共に、文字及び背景の表示色を、適用ルール記憶部に記録されている表示色決定ルールのルール番号に従って変更する。また、コンテンツ加工部７は、適用ルール記憶部に記録されているルール番号の内、文字サイズ決定ルールのルール番号だけを、今回渡されたルール番号に変更する。
【００５２】
なお、照度検出部１及び距離検出部２として、オートフォーカス機能及び自動絞り機能を備えたカメラのフォーカス制御部および絞り制御部を利用することができる。この場合の構成について、図６を参照して説明する。
【００５３】
図６を参照すると、オートフォーカス機能及び自動絞り機能を備えたカメラ９２は、フォーカス制御部９３と、フォーカス駆動部９４と、フォーカスレンズ９５と、絞り制御部９６と、絞り駆動部９７と、絞り９８と、結像レンズ９９とを備えている。フォーカス制御部９３は、ピントを合わせるためのフォーカス制御量をフォーカス駆動部９４に入力する機能を有しており、フォーカス駆動部９４は、フォーカス制御部９３からのフォーカス制御量に従ってフォーカスレンズ９５を駆動し、ピントを合わせる。また、絞り制御部９６は、絞り９８を介して入射する光の光量を適切なものにするための絞り制御量を絞り駆動部９７に入力する機能を有しており、絞り駆動部９７は、絞り制御部９６から入力される絞り制御量に従って絞り９８を駆動することにより、絞り９８を介して入射する光の光量を適切なものにする。
【００５４】
カメラ９２を照度検出部１及び距離検出部２の代わりに使用する場合には、照度検出部１の検出結果の代わりに絞り制御部９６から出力される絞り制御量を表示形態決定部３に入力し、距離検出部２の検出結果の代わりにフォーカス制御部９３から出力されるフォーカス制御量を表示形態決定部３に入力する。
【００５５】
図７を参照すると、カメラ９２は、表示部９の筐体の上面に実装されている。その際、カメラ９２の光軸が表示画面とほぼ垂直となり、カメラ９２の結像レンズ９９と表示画面がほぼ同一方向を向くように実装する。なお、カメラ９２の実装位置は、筐体の側面であっても構わない。
【００５６】
[第１の実施の形態の効果]
本実施の形態によれば、ユーザがキー操作などを行わなくとも、見やすい表示を行うことが可能になるという効果を得ることができる。その理由は、照度検出部１の検出結果に基づいて、文字及び背景色を変更する表示制御手段（表示形態決定部３、コンテンツ加工部７から構成される）を備えているからである。
【００５７】
[本発明の第２の実施の形態]
次に、本発明の第２の実施の形態について説明する。
【００５８】
本実施の形態は、文字だけでなく映像の表示形態も変更できるようにしたことを特徴とする。図８を参照すると、本実施の形態の表示装置は、表示形態決定部３の代わりに字幕用の表示形態決定部３１および映像用の表示形態決定部３２を備えている点と、ルール記憶部４の代わりにルール記憶部４１を備えている点と、状態記憶部５の代わりに字幕用の状態記憶部５１および映像用の状態記憶部５２を備えている点と、コンテンツ加工部７の代わりに字幕用のコンテンツ加工部７１および映像用のコンテンツ加工部７２を備えている点が図１に示した第１の実施の形態の表示装置と相違している。
【００５９】
ルール記憶部４１には、図３、図４に示した文字サイズ決定ルール、表示色決定ルールの他に、照度検出部１および距離検出部２の検出結果に基づいて映像の輝度を決定する輝度決定ルールと、映像のコントラストを決定するコントラスト決定ルールが記録されている。
【００６０】
図９は、ルール記憶部４１に記録されている輝度決定ルールの一例を示した図であり、ルール番号No.21〜No.29と、距離検出部２で検出された距離の変化方向、及び、距離範囲とから構成される条件部と、条件部の条件が満たされたときの輝度とを含んでいる。
【００６１】
ここで、項目「輝度」における「元の輝度」は、コンテンツデータ記憶部６１に記録されている映像用のコンテンツデータによって指定されている輝度で画像を表示することを示し、「輝度を20％低くする」は、コンテンツデータで指定されている輝度よりも20％輝度を落とすことを示し、「輝度を20％高くする」は、コンテンツデータで指定されている輝度よりも20％輝度を上げることを示している。また、項目「輝度」における「なし」は、画像の輝度を現在の輝度から変化させないことを示している。
【００６２】
図１０は、ルール記憶部４１に記録されているコントラスト決定ルールの一例を示した図であり、ルール番号No.31〜No.39と、照度検出部１で検出された照度の変化方向、及び、距離範囲とから構成される条件部と、条件部の条件が満たされたときのコントラストとを含んでいる。
【００６３】
ここで、項目「コントラスト」における「元のコントラスト」は、コンテンツデータ記憶部６１に記録されている映像用のコンテンツデータによって指定されているコントラストで画像を表示することを示し、「コントラストを20％下げる」は、コンテンツデータで指定されているコントラストよりも20％コントラストを落とすことを示し、「コントラストを20％上げる」は、コンテンツデータで指定されているコントラストよりも20％コントラストを上げることを示している。また、項目「コントラスト」における「なし」は、画像のコントラストを現在のコントラストから変化させないことを示している。
【００６４】
なお、本実施の形態の表示形態決定部３１，３２、コンテンツ加工部７１，７２、及び、表示制御部８も第１の実施の形態と同様に、ＣＰＵによって実現することができる。
【００６５】
[第２の実施の形態の動作]
次に、本実施の形態の動作について説明する。なお、表示形態決定部３１およびコンテンツ加工部７１の動作は、表示形態決定部３が状態記憶部５の代わりに状態記憶部５１を使用する点、および、コンテンツ加工部７１がコンテンツデータ記憶部６の代わりにコンテンツデータ記憶部６１を使用する点以外は、表示形態決定部３およびコンテンツ加工部７と同一であるので、ここでは、映像用の表示形態決定部３２およびコンテンツ加工部７２の動作についてのみ説明する。なお、初期状態においては、状態記憶部５１，５２には、そのことを示す情報が記録されている。
【００６６】
表示形態決定部３２は、図１１のフローチャートに示すように、照度検出部１で検出された照度、及び、状態記憶部５２に記録されている照度を入力する（ステップＳ８２、Ｓ８３）。そして、状態記憶部５２から入力した情報が初期状態であることを示す情報である場合は（ステップＳ８４がＹｅｓ）は、照度検出部１の検出結果で状態記憶部５２を更新した後、一定時間が経過するのを待つ（ステップＳ８５、Ｓ９０）。
【００６７】
これに対して、入力した情報が照度の場合には、前述した式（１）に示す演算を行うことにより、照度差分を算出する（ステップＳ８６）。その後、表示形態決定部３２は、照度差分が予め定められている照度変化許容範囲内であるか否かを判定する（ステップＳ８７）。そして、照度差分が許容範囲内である場合（ステップＳ８７がＹｅｓ）は、ステップＳ９０の処理を行う。これに対して、照度差分が許容範囲外の場合（ステップＳ８７がＮｏ）は、状態記憶部５２に記録されている照度を、照度検出部１から入力した照度で置き換える（ステップＳ８８）。
【００６８】
次いで、表示形態決定部３２は、ルール記憶部４１に記録されている輝度決定ルールおよびコントラスト決定ルールと、照度検出部１の検出結果と、距離検出部２の検出結果と、照度差分の符号とに基づいて輝度およびコントラストを決定し、決定した輝度に対応したルール番号と、決定したコントラストを決定に対応したルール番号とをコンテンツ加工部７２に渡す（ステップＳ８９）。その後、表示形態決定部３２は、一定時間が経過するのを待って（ステップＳ９０）、再びステップＳ８１の処理を行う。表示形態決定部３２は、ユーザによってコンテンツの表示停止が指示されるまで（ステップＳ８１がＹｅｓとなるまで）、上述した処理を繰り返し行う。
【００６９】
今、例えば、ステップＳ８２で照度検出部１から入力した照度が「８」、状態記憶部５２に記録されている照度が「５」、照度変化許容範囲が「−２≦照度変化許容範囲≦２」であり、ルール記憶部４１に記録されている輝度決定ルール及びコントラスト決定ルールがそれぞれ図９及び図１０に示すものであるとすると、ステップＳ８６〜Ｓ８９では、次のような処理が行われる。
【００７０】
ステップＳ８６では、照度差分「８−５＝＋３」を算出する。算出した照度差分「３」が照度変化許容範囲外なので（ステップＳ８７がＮｏ）、ステップＳ８８の処理が行われる。ステップＳ８８では、状態記憶部５に記録されている「照度５」を、ステップＳ８２で入力した「照度８」に置き換える。
【００７１】
ステップＳ８９では、照度差分が照度変化許容範囲外で、且つその符号が「＋」なので、照度の変化方向は「高くなる」に相当すると判定する。また、照度は「８」であり、照度範囲「８〜１０」に相当するので、図９、図１０に示した輝度決定ルール、コントラスト決定ルールの内の、ルール番号「No.26」「No.36」のルールが該当すると判定する。その後、該当するルール番号「No.26」「No.36」をコンテンツ加工部７２に渡す。以上がステップＳ８６〜Ｓ８９で行われる処理である。
【００７２】
コンテンツ加工部７２は、表示形態決定部３２から輝度決定ルール、コントラスト決定ルールのルール番号が渡されると、コンテンツデータ記憶部６２から入力した映像用のコンテンツデータに対して、渡されたルール番号に応じた変更を行い、変更後のコンテンツデータを表示制御部８に渡す。
【００７３】
例えば、表示形態決定部３２から渡された輝度決定ルール、コントラスト決定ルールのルール番号が「No.22」「No.32」である場合（輝度、コントラストをコンテンツデータによって指定された輝度、コントラストにする場合）は、コンテンツデータ記憶部６２から読み出したコンテンツデータをそのまま表示制御部８に渡すと共に、適用ルール記憶部（図示せず）に表示形態決定部３２から渡された輝度決定ルール、コントラスト決定ルールのルール番号を記録する。
【００７４】
また、例えば、表示形態決定部３２から渡された輝度決定ルールのルール番号が「No.26」、コントラスト決定ルールのルール番号が「No.32」の場合（輝度を20％高くし、コントラストはコンテンツデータによって指定されているコントラストにする場合）は、コンテンツデータ記憶部６２から読み出したコンテンツデータの内の、輝度の指定部分を変更し、変更後のコンテンツデータを表示制御部８に渡す。例えば、コンテンツデータ記憶部６２から読み出した映像用のコンテンツデータが図１２に示すものである場合は、輝度を指定する部分（Ｅ）を、図１３に示すように変更する。この例では、imegedataの各点のＲＧＢ値を20％増加させることで、輝度を20％増加させるようにしている。
【００７５】
また、例えば、表示形態決定部３２から渡された輝度決定ルールのルール番号が「No.22」、コントラスト決定ルールのルール番号が「No.36」の場合（輝度はコンテンツデータで指定されている輝度とし、コントラストはコンテンツデータで指定されているコントラストよりも20％上げる場合）は、コンテンツデータ中のコントラストを指定する部分を変更し、変更後のコンテンツデータを表示制御部８に渡す。具体的には、コンテンツデータから下記（Ｆ）に示すようなコントラストを指定する部分を探し出し、その部分を下記（Ｇ）に示すように変更する。
【００７６】
convertImage2(imagedata.data, 1.0)    …（Ｆ）
convertImage2(imagedata.data, 1.2)    …（Ｇ）
【００７７】
[第２の実施の形態の効果]
本実施の形態よれば、文字だけでなく、映像も見やすいものにすることができるという効果を得ることができる。その理由は、照度検出部１および距離検出部２の検出結果に基づいて、表示画面に表示する画像の輝度、コントラストを決定する映像表示形態決定手段（表示形態決定部３２やコンテンツ加工部７２から構成される）と、コンテンツデータに含まれる映像の輝度、コントラストを示す修飾情報を、映像表示形態決定手段で決定された映像の輝度、コントラストを示すものに変更する映像変更部（コンテンツ加工部７２）とを備えているからである。
【００７８】
[本発明の第３の実施の形態]
次に、本発明の第３の実施の形態について説明する。
【００７９】
本実施の形態は、表示装置の動作モードをユーザが指定できるようにしたことを特徴とする。
【００８０】
図１４を参照すると、本実施の形態の表示装置は、表示形態決定部３の代わりに、表示形態決定部３ａを備えている点、および、モード指定部１０が追加されている点が図１に示した第１の実施の形態の表示装置と相違している。
【００８１】
モード指定部１０は、動作モードを第１の動作モードにするのか、第２の動作モードにするのかを指定するための手段であり、装置上のトグルスイッチやボタン、或いは表示画面上のモード指定画面などによって実現する。
【００８２】
表示形態決定部３ａは、モード指定部１０によって指示されている動作モードが、第１の動作モードのときと、第２の動作モードのときで、異なる距離変化許容範囲、照度変化許容範囲を使用する点が第１の実施の形態の表示形態決定部３と相違している。具体的には、ユーザが操作するモード指定部１０によって、第１の動作モードが指定されている場合は、−２≦距離変化許容範囲≦＋２、−２≦照度変化許容範囲≦＋２とし、第２の動作モードが指定されている場合は、−４≦照度変化許容範囲≦＋４、−４≦照度変化許容範囲≦＋４とする。このようにすることにより、ユーザは、距離の変化、照度の変化に敏感に反応する第１の動作モードと、距離の変化、照度の変化に左右されない第２の動作モードを選択的に利用することが可能になる。なお、距離変化許容範囲、照度変化許容範囲が異なる表示形態決定部を複数台用意しておき、ユーザが利用する表示形態決定部を選択するようにしても、同様の効果を得ることができる。また、本実施の形態の表示形態決定部３ａ、コンテンツ加工部７、及び、表示制御部８も第１の実施の形態と同様に、ＣＰＵによって実現できる。また、異なる表示形態決定ルールを使用する表示形態決定部を複数用意すると共に、表示形態決定部の内の１つを選択する選択手段を用意し、ユーザが利用する表示形態決定部を選択できるようにすることもできる。
【００８３】
[第３の実施の形態の効果]
本実施の形態によれば、ユーザは、距離の変化、照度の変化に敏感に反応する第１の動作モードと、距離の変化、照度の変化に左右されない第２の動作モードを選択的に利用することが可能になるという効果を得ることができる。その理由は、指定された動作モードによって異なる距離変化許容範囲、照度変化許容範囲を使用する表示形態決定部３ａを備えているからである。
【符号の説明】
【００８４】
１      照度検出部
２      距離検出部
３、３ａ      表示形態決定部
４、４１      ルール記憶部
５、５１、５２      状態記憶部
６、６１、６２      コンテンツデータ記憶部
７、７１、７２      コンテンツ加工部
８      表示制御部
９      表示部
１０    モード指定部
３１，３２  表示形態決定部
４１    ルール記憶部
【図１】
2013205762.tif 000003
【図２】
2013205762.tif 000004
【図３】
2013205762.tif 000005
【図４】
2013205762.tif 000006
【図５】
2013205762.tif 000007
【図６】
2013205762.tif 000008
【図７】
2013205762.tif 000009
【図８】
2013205762.tif 000010
【図９】
2013205762.tif 000011
【図１０】
2013205762.tif 000012
【図１１】
2013205762.tif 000013
【図１２】
2013205762.tif 000014
【図１３】
2013205762.tif 000015
【図１４】
2013205762.tif 000016